(57)【特許請求の範囲】
【請求項１】
周面に清掃布が装着された清掃筒体が、柄の先端に、該清掃筒体の軸心又は該軸心に平行な軸を回転軸として回転可能に且つ該柄と該回転軸とを直角に取り付けられた清掃具であって、
上記清掃筒体は２つのラウンド状の曲面を有し、２つの該曲面それぞれの端部同士が結合されて上記清掃筒体の周面が形成され、且つそれぞれの結合部に上記回転軸と平行な尖端部が形成されており、２つの該尖端部における該曲面同士のなす角度が鋭角θであり、
上記曲面が清掃基面として使用されるようになされており、
上記鋭角θが３０度〜７０度であり、
２つの上記尖端部を結んで形成される平面と上記柄とのなす角度が０度以上該鋭角θの１／１０以下となる位置及びその位置から１８０度回転させた位置で、上記清掃筒体に対しブレーキ荷重が掛かるようになされていることを特徴とする清掃具。
【請求項２】
上記清掃布を、上記清掃筒体の内部に収容し、該清掃筒体に形成されたスリットから該清掃布が引き出されるようにしたことを特徴とする請求項１記載の清掃具。
【発明の詳細な説明】
【０００１】
【発明の属する技術分野】
本発明は、清掃具に関し、詳しくは、ガラス等の硬質表面の汚れを軽い荷重で拭き取ることができ、且つ広範囲に亘って清掃することができる清掃具に関する。
【０００２】
【従来の技術及び発明が解決しようとする課題】
窓ガラスや自動車のボディ等の硬質表面の清掃は、広い面積に亘って行われることや高所を対象として行われることが一般に多いため、多大な労力および時間が必要であった。
【０００３】
上記硬質表面の清掃方法としては、界面活性剤及びアルカリ剤等を含有する液体系の洗浄剤を該硬質表面にスプレー等で吹き付けた後に、濡れ雑巾で該洗浄剤を拭き取り、更に乾いた布で乾拭きする方法が一般的である。しかし、このような方法では、濡れ雑巾や布と硬質表面との接触面積を適正に保つことは困難であり、接触面積が過大となる結果、拭き取りや乾拭き時に多大な労力が必要であった。
【０００４】
また、硬質表面の清掃方法として化学雑巾を使用する方法があるが、この場合、化学雑巾を幾つかに折り畳んで汚れていない面で汚れを拭き取り、ある面が汚れたら他の面に換えて使用するという使用方法が一般的である。しかし、どの面が汚れ、どの面が未使用であるかを考えて使用することは面倒あるいは困難であり、汚れが飽和した面を誤って再度使用してしまい却って清掃面を汚す結果となったり、未使用な面を残したまま処分してしまう場合があった。
また、他の雑巾や乾拭き用の布等の場合であっても、他に汚れていない部分があるにもかかわらず該部分が有効に利用されてない場合も多かった。
【０００５】
更に、窓ガラス等の清掃を行う場合には、中央部の清掃は比較的容易であるのに対し、サッシの枠際や四隅部分はサッシ等が邪魔になるため清掃が困難であったり、該部分に雑巾や布の繊維や洗浄剤の成分等が残ってしまう場合があった。
【０００６】
従って、本発明の目的は、適正な荷重により汚れを軽く効率的に拭き取ることができる清掃具を提供することにある。
また、本発明の目的は、清掃布全体を効率的に使用でき、広い面積の汚れを容易に拭き取ることのできる清掃具を提供することにある。
また、本発明の目的は、高所やサッシの枠際等の狭い部分の清掃を容易に行うことができる清掃具を提供することにある。
【０００７】
【課題を解決するための手段】
本発明者らは鋭意検討した結果、清掃布が装着される清掃筒体の形状及び該清掃筒体と柄との関係等を工夫した清掃具が上記目的を達成し得ることを知見した。
【０００８】
本発明は上記知見に基づきなされたもので、請求項１に記載の発明は、周面に清掃布が装着された清掃筒体が、柄の先端に、該清掃筒体の軸心又は該軸心に平行な軸を回転軸として回転可能に且つ該柄と該回転軸とを直角に取り付けられた清掃具であって、上記清掃筒体は２つのラウンド状の曲面を有し、２つの該曲面それぞれの端部同士が結合されて上記清掃筒体の周面が形成され、且つそれぞれの結合部に上記回転軸と平行な尖端部が形成されており、２つの該尖端部における該曲面同士のなす角度が鋭角θであり、上記曲面が清掃基面として使用されるようになされており、上記鋭角θが３０度〜７０度であり、２つの上記尖端部を結んで形成される平面と上記柄とのなす角度が０度以上該鋭角θの１／１０以下となる位置及びその位置から１８０度回転させた位置で、上記清掃筒体に対しブレーキ荷重が掛かるようになされていることを特徴とする清掃具を提供することにより上記目的を達成したものである。
【００１１】
請求項２に記載の発明は、請求項１に記載の発明において、上記清掃布を、上記清掃筒体の内部に収容し、該清掃筒体に形成されたスリットから該清掃布が引き出されるようにした清掃具を提供するものである。
【００１２】
【発明の実施の形態】
本発明の清掃具の好ましい実施形態を図面を参照して説明する。ここで、図１は、本発明の清掃具の一実施形態を示す斜視図であり、図２は、図１に示す清掃具の清掃具本体を示す斜視図であり、図３は、図２に示す清掃具本体における清掃筒体の側面図であり、図４は、図２に示す清掃具本体の平面図であり、図５は、清掃布の装着を示す斜視図であり、図６及び図７は、図１に示す清掃具の使用状態を示す図である。
【００１３】
図１〜図４に示すように、本実施形態の清掃具１は、清掃筒体２が柄３の先端に取り付けられた清掃具本体４と、該清掃筒体２の周面に装着された清掃布５とから構成されている。
【００１４】
上記清掃筒体２は、柄３の先端に、該清掃筒体２の軸心又は該軸心に平行な軸を回転軸として回転可能に、且つ該柄３と該回転軸とを直角に取り付けられている。
上記清掃筒体２は、２つのラウンド状の曲面６，６’を有し、該曲面６，６’それぞれの端部同士が結合されて該清掃筒体２の周面が形成されている。
該曲面６，６の結合部には、上記回転軸と平行な尖端部７，７が形成され、該尖端部７，７における該曲面６，６’同士のなす角度θは鋭角である。
【００１５】
上記清掃筒体２は、図４に示すように、平面視した形状が略矩形であり、図３に示すように、側面視した形状が略菱形状である。該清掃筒体の周面は、図３に示すように、端部同士が結合された、２つのラウンド状の曲面６，６’により形成されている。各曲面６，６’は、互いに中心面Ａを挟んで略対象の形態を有し、側面視した場合における各曲面６，６’の形状は、略二等辺三角形状をなしている。側面視した場合の該形状を、より詳しく説明すると、中心面Ａ上に底面を有する二等辺三角形を基本形状とし、該基本形状における二等辺三角形の頂角を２０Ｒの曲線とし、該頂角を挟む二辺を湾曲させて１５０Ｒの曲面とした形状である。尚、本実施形態における上記二等辺三角形の底辺の長さは、８５ｍｍである。
【００１６】
上記２つの曲面６，６’それぞれの端部が結合している結合部には、尖端部７，７’が形成されており、該尖端部７，７’における上記曲面６，６’同士のなす角度θは、鋭角である（図３参照）。本発明における該角度θは、３０度〜７０度の範囲内である。該角度θが、上記範囲内であると、サッシの枠際や四隅等の狭い場所の清掃を極めて容易に行うことができる。一方、該角度θが、鈍角であるとそのような場所の清掃が困難である。尚、本実施形態における該角度θは７０度である。
【００１７】
本実施形態の清掃具における清掃筒体の各部の大きさ（長さ）、曲率及びそれらの〔好ましい値〕を示すと以下の通りである。尚、下記各項目において、最初に記載した数値が本実施形態における各部の数値である。
・回転筒体の長さ（図３における左右方向の長さ）；８５ｍｍ〔５０〜１２０ｍｍ、特に６０〜１００ｍｍ〕。
・回転筒体の幅；１００ｍｍ；〔７０〜１５０ｍｍ、特に８０〜１２０ｍｍ〕。
・回転筒体の曲面の曲率Ｒ（二等辺部）；１５０ｍｍ〔１００〜６００ｍｍ、特に１２０〜４００ｍｍ〕。
・回転筒体の曲面の曲率Ｒ（頂角部）；（図３参照）；２０ｍｍ〔５〜５０ｍｍ、特に１０〜３０ｍｍ〕。
【００１８】
上記清掃筒体２は、その周面に清掃布５が装着可能になしてある。即ち、清掃筒体２の周面には、所定の大きさの窪み部（図示せず）が３カ所一列に形成され、該窪み部を覆うように装着固定部材９が設けられている。該装着固定部材９には、上記各窪み部の位置に対応させて装着用スリット８が形成されている。
【００１９】
上記清掃布５は、上記清掃筒体２の周面一回り分よりも若干長い長さの帯状体である。そして、該清掃布５の上記清掃筒体２への装着は、図５（ａ）に示すように、長さ方向の一端部５ａを上記装着固定部材９に重ね、該一端部５ａの一部を、上記装着用スリット８に押し込んで固定し、次いで図５（ｂ）に示すように、他端部５ｂを矢印Ａ方向に一回りさせて同様に装着用スリット８に押し込むことにより行う。
【００２０】
上記柄３は、図２に示すように、棒状の把持部３０と、軸部３１と、該軸部３１と該把持部３０とを接続するＬ字形接続部３２とからなる。
上記把持部３０は、棒状の形態をなし、本実施形態の清掃具による清掃作業は、通常この部分を把持して行う。該把持部３０の先端には、上記Ｌ字形接続部３２が接続されている。
上記Ｌ字形接続部３２は、互いに直角な横部３２ａ及び縦部３２ｂからなり、横部３２ａ側の端部は、上記把持部３０の先端に直角に接続されており、縦部３２ｂ側の端部には、上記軸部３１が接続固定されている。該Ｌ字形接続部３２の上記縦部３２ｂは、該把持部３０の長さ方向と略平行となっている。上記軸部３１は、該横部３２ａと略平行になるように接続固定されており、該Ｌ字形接続部３２と該軸部３１とで略コの字形が形成されている。
上記軸部３１は、基端を上記縦部３２ｂの端部に接続固定された棒状体であり、その先端側は、上記清掃筒体２の軸心に形成された挿通孔に挿入されて上記清掃筒体２を回転可能に支持している。尚、上記柄３は、図４に示すように、清掃筒体２の一方の側面部２ｂよりも外側に張り出す部分を有するが、他方の側面部２ａから張り出す部分は有しない。
【００２１】
上記清掃筒体２には、上述の通り、上記軸部３１が挿通される挿通孔がその軸心（図３においてＰで示す。）に形成されており、該清掃筒体２は該挿通孔に挿入された上記軸部３１を回転軸として回転可能になされている。
上記軸部３１の先端は、図４に示すように、上記清掃筒体２の側面部２ａからは突出せず、清掃筒体２の側面部２ａに形成された円柱状凹部２１内に露出しており、該先端には、止め部材３３が係合されている。該止め部材３３により、上記清掃筒体２が、上記軸部３１から抜け落ちないようになっている。
【００２２】
本実施形態の清掃具１は、図３に示すように、２つの上記尖端部を結んで形成される平面Ａと上記柄３とのなす角度ａが０度以上上記鋭角θの１／１０以下となる位置及びその位置から１８０度回転させた位置で、上記清掃筒体２に対しブレーキ荷重が掛かるようになされている。
即ち、図４に示すように、上記清掃筒体２の側面部２ｂには、リング状の第１ブレーキ部材２２が固着され、第１ブレーキ部材２２と上記Ｌ字形接続部３２との間には、同様にリング状の第２ブレーキ部材３４が設けられ、該第１ブレーキ部材２２と第２ブレーキ部材３４との作用により上記位置においてブレーキ荷重が掛かるようになされている。
上記第２ブレーキ部材３４は、上記軸部３１に環装されるとともに、第１ブレーキ部材方向２２方向にコイルばね３５により常時付勢されている。該第２ブレーキ部材３４は、軸部３１に沿って前後方向に移動可能であるが、軸部３１に形成された回転規制突起（図示せず）により回転不可能に設けられている。
第１ブレーキ部材２２及び第２ブレーキ部材３４の摺接面には、それぞれ係合凹部及び係合突起３４ａが形成されており、該係合凹部及び係合突起３４ａとが係合することにより該清掃筒体２にブレーキ荷重が掛かるようになされいる。
【００２３】
上記第１ブレーキ部材２２の上記係合凹部は、該第１ブレーキ部材２２の中心点を挟んで点対称の位置に２つ形成されており、上記第２ブレーキ部材３４の上記係合突起も、該第２ブレーキ部材２２の中心点を挟んで点対称の位置に２つ形成されている。
そして、２つの上記尖端部を結んで形成される平面Ａと上記柄３とのなす角度ａが０度以上上記鋭角θの１／１０以下となる位置において２つの上記係合凹部に対して上記二つの係合突起３４ａがそれぞれ係合すると共に、清掃筒体２を１８０度回転させた位置においても上記係合凹部及び係合突起３４ａが係合するようになされている。
本実施形態においては、図１及び２に示されるように、上記なす角ａが０度となるような位置及びその位置から清掃筒体２を１８０度回転させた位置において係合凹部及び係合突起が係合するように、即ち、ブレーキ荷重が掛かるようになされている。
【００２４】
本実施形態の清掃具における上記清掃筒体２は、柔軟性素材で形成されており、該柔軟性素材は、スポンジ状の多孔性の柔軟性素材（例えば、表面にメルトーム加工が施されたポリウレタン製の多孔性の柔軟性素材）、又はゴム状の柔軟性素材であって、Ｃ硬度が好ましくは１〜７０、更に好ましくは３０〜６０のものである。ここで、Ｃ硬度とは、ＳＲＩＳ（日本ゴム協会規格）０１０１に基づきアスカ−ゴム硬度計Ｃ型式で測定した硬度である。
【００２５】
上記清掃筒体２をスポンジ状の多孔性の柔軟性素材で作製する場合には、耐久性に優れた軟質若しくは硬質の発泡させた合成樹脂からなる多孔性の柔軟性素材を使用することが特に好ましい。この様な性質を備えた好ましい多孔性の柔軟性素材としては、例えば、発泡ポリエチレン、発泡ポリウレタン等の合成樹脂が挙げられる。
上記清掃筒体２を構成する柔軟性素材には、スポンジ状の多孔性の柔軟性素材のほかに、人工皮革若しくは布製の袋にフェルトや綿等の繊維材料を内包させたクッション性の柔軟性素材、又はゴム状の柔軟性素材を使用することもできる。上記柄３は、塩化ビニル、ポリプロピレン、ＡＢＳ、ポリカーボネート、アルミニウムやその合金、木、竹製のものであることが、軽量で丈夫且つ低コストであるので好ましい。
【００２６】
本実施形態の清掃具１は、上述したように構成されているので、清掃具１によれば、図６中（ｂ）で示すように、例えばガラス４０の中央部のような広い面積の清掃には、清掃筒体２の尖端部７から頂部６ｃまでの部分を清掃基面として使用し、軽く且つ均一に清掃することができる。また、特に強く付着した汚れを除去する際には、図６中（ｃ）で示すように、上記清掃筒体２の頂部６ｃの曲面を利用することにより、軽い荷重で容易に除去することができる。即ち、これらの部分は曲面で構成されているので、清掃布と被清掃面との接触面積が手拭きに較べて小さくなり、軽い荷重で楽に且つ均一に清掃することができる。
【００２７】
一方、サッシの枠際や四隅のような狭い部分の清掃には、図６中（ａ）で示すように、上記清掃筒体２の尖端部７を清掃基面として使用すれば、かかる部分の清掃を簡便且つ効率的に行うことができる。
また、通常清掃が困難な上部サッシの枠際のような高所にある被清掃面を清掃する場合にも、棒状の上記柄３があるので容易に清掃を行うことができる。
【００２８】
更に、本実施形態の清掃具は、清掃筒体２を該清掃筒体２の一方の側からのみ支持させる構成としたので、図７に示すように、左側サッシ４０ａの枠際を清掃する際には、清掃筒体２が左側に突出する向きに使用し、逆に右側サッシ４０ｂの枠際を清掃する際には、清掃筒体２が右側に突出する向きに使用することにより、左右両側のサッシ４０ａ，４０ｂの枠際を容易に清掃することができる。
【００２９】
更に、本実施形態の清掃具においては、清掃筒体２の一方の尖端部７側の両面を使用し、その部分が汚れで飽和した場合、ある程度の力を加えて清掃筒体２を１８０度回転させることにより、汚れていない他方の尖端部７’側を先端側とすることができる。これにより、汚れのない部分を利用して更に清掃を継続することができる。
そして、尖端部７’側の部分も汚れで飽和した場合には、図５（ａ）に示されるように清掃布の他端部５ｂ側をはずし、該他端部５ｂを図５（ａ）における矢印Ａとは、逆方向に一回りさせて再度該他端部５ｂを固定する。これにより、清掃布５の汚れの付着していない反対側の面が外側に露出されることになるので、更に、上述したような清掃を行うことができる。
【００３０】
このようにして本実施形態の清掃具によると、清掃布５の両面を使用することができ、且つ各面についても無駄なく殆ど全面に亘って使用することができる。従って、無駄のない効率的な清掃が可能であり、また、これにより広い範囲の汚れを除去することもできる。
従って、本実施形態の清掃具１は、ガラス、黒板、タイル張りの浴室やキッチンの壁や天井、自動車のボディ等の硬質表面の清掃に好適に使用することができる。
【００３１】
本発明における清掃布５としては、洗浄剤を含浸させたものであっても、そのような洗浄剤を含浸させずに乾式で使用されるものであっても良い。該清掃布としては、繊維状材料から構成される繊維構造体、例えば、各種紙、不織布、織布若しくは編布及びパルプシートが挙げられる。これらの繊維構造体を構成する繊維状材料としては、例えば、セルロース系繊維、変性セルロース系繊維、合成繊維及びこれらの二種以上の混合物等が挙げられる。
【００３２】
上記セルロース系繊維としては、例えば木材系パルプや綿、麻等の天然繊維、テンセル、ビスコースレーヨンやアセテート等のセルロース系化学繊維が挙げられる。
一方、上記合成繊維としては、例えば、ポリエチレン系繊維、ポリプロピレン系繊維、ポリエステル系繊維、ポリアミド系繊維、ポリアクリロニトリル系繊維、ポリビニルアルコール系繊維及びこれらの合成繊維の少なくとも二種を芯鞘型等に複合化した繊維、並びにこれらの合成繊維の少なくとも二種を混合した繊維等が挙げられる。
また、樹脂からなる多孔質シート（例えば、スポンジ状シート）も清掃布として使用できる。
【００３３】
以上、本発明の好ましい一実施形態について説明したが、本発明は、上記の実施形態により何等制限されるものではなく、発明の趣旨を逸脱しない限り適宜変更が可能である。
【００３４】
例えば、清掃筒体２にブレーキ荷重を掛ける機構を、図８に示すようなものとすることもできる。図８に示す清掃具は、清掃筒体２に固着された第１ブレーキ部材２２と、第２ブレーキ部材３４とを備える点において上記実施形態におけるのと同様である。
但し、軸部３１の先端に設けられたコイルばね３５により清掃筒体２全体が該第２ブレーキ部材３４側に付勢されており、第２ブレーキ部材３４が柄３の軸部３１に前後進及び回転不可能に固定されている点において相違する。
【００３５】
本実施形態の清掃具における第１及び第２ブレーキ部材には、図８（ａ）に示すような鋸歯状の係合部が形成され、該係合部の係合により上記清掃筒体２には所定の角度毎にブレーキ荷重が掛かるようになされている。この清掃具においても、両尖端部７，７’を結ぶ面Ａに対する把持部３０の角度ａが０度になる位置において清掃筒体２にブレーキ荷重が掛かるようになっており、その位置及び１８０度回転させた位置において該清掃筒体２は、自然には回らない程度に回転が規制される。更に、この清掃具においては、角度ａが１０度、２０度、３０度の位置においてもブレーキ荷重が掛かるようになしてある。これにより、清掃する面に応じて柄３の角度を適宜の角度として使用することができる。そして、１８０度回転させることにより、汚れていない他の尖端部側を先端側とすることができる点においては、上記実施形態におけるのと同様である。
【００３６】
更に、清掃筒体２にブレーキ荷重を掛ける機構として、図９に示すようなものを採用することもできる。
図９に示す清掃具は、上記機構として、清掃筒体２に固着され、該清掃筒体２と一体となって回転する第１ブレーキ部材２２と、柄３のＬ字形接続部３２に形成された貫通孔に前後進可能に挿通された第２ブレーキ部材３４と、第２ブレーキ部材３４を上記第１ブレーキ部材２２方向に常時付勢するコイルばね３５とからなるブレーキ荷重機構を備えている。
そして、上記第１ブレーキ部材２２の第２ブレーキ部材３４側の表面には、二つの係合凹部２２ａが形成されており、上記第２ブレーキ部材３４の先端が該第１ブレーキ部材２２の該係合凹部２２ａに係合することにより該清掃筒体２にブレーキ荷重が掛かるようになしてある。本清掃具においては、図９に示すように、清掃筒体２の両尖端部７，７’を結んで形成される面Ａと、柄３とのなす角度が０度になる位置、及び該位置から清掃筒体２を１８０度回転させた位置において清掃筒体２にブレーキ荷重が掛かるようになしてある。
【００３７】
また、清掃筒体２の周面への清掃布５の装着方法にも特に制限はない。例えば、清掃筒体２の周面に、図８及び図９に示すような装着固定部材９を設けることにより清掃布５を装着する構成としても良い。
この装着固定部材９は、清掃筒体２の周面に形成された窪み部（図示せず）を覆うように設けられ、図１０に示すように、開き用スリット９０及び保持用スリット９１が形成されている。上記開き用スリット９０は放射状に延在して設けられ、上記保持用スリット９１は上記開き用スリット９０に連続すると共に鋸歯形状に形成されている。このような構成を有する装着固定部材を採用することにより、清掃布５を指で装着固定部材９に押し込むだけで、確実に且つ簡単に上記清掃布５を清掃筒体２の周面に装着することができる。尚、清掃布５の端部に図１０に示すような突起５ａを形成し、一端部と他端部とをそれぞれ異なるスリットに押し込むようにすると、より一層清掃布の清掃筒体２への装着が容易となる。
【００３８】
図１１は、本発明の清掃具の他の実施形態を示す図である。本実施形態の清掃具は、図１〜図７に示した清掃具１の柄３の末端部分に、腕固定部５１とグリップ部５２とを備えてなる延長柄５０を接続させてなる清掃具である。尚、図１１においては、上記清掃具１と延長柄５０との接続前の状態を示している。
上記腕固定部５１は、上記延長柄５０の末端部に設けられ、腕に当ててベルトで装着固定することにより、腕に固定することができるようになされている。上記グリップ部５２は、延長柄５０の略中心部に設けられ、把持が容易で且つ水や汗等により滑らないようになされている。
【００３９】
本清掃具は、上記延長柄５０の先端を上記清掃具１の末端と接続することにより、長い柄を有する清掃具として使用される。該接続は、延長柄５０の先端に形成された雄ねじ部５３を、上記清掃具１の末端に形成された雌ねじ部に螺合させることによりなされる。
そして、本実施形態の清掃具は、上記構成を有してなるので、使用時には、腕に装着された腕固定部５１が設けられた部分が支点となり、グリップ部５２が作用点として機能する。これにより、清掃筒体２の被清掃面に対する接圧力を腕固定部５１を設けない場合に対して増加させることができ（約２倍）、高所の汚れを容易に拭き取ることができる。
【００４０】
更に、本発明の清掃具の他の実施形態として、上記各実施形態の清掃具における清掃布５を清掃筒体２の内部にロールの状態として収容しておき、使用に際し該清掃筒体２に形成されたスリットから該清掃布５が引き出されるようにした清掃具がある。
この清掃具は、清掃筒体２の内部にロールの状態とした清掃布が収容され、該清掃布の長手方向の一端部から該清掃布を引き出すことのできる引き出し用スリットが清掃筒体２の周面に形成されてなる。尚、上記清掃布は、上記清掃筒体２の周面の長さよりも長く、例えば、該周面の長さの２倍以上である。
【００４１】
そして、使用に際しては、上記引き出し用スリットから清掃布を引き出し、引き出した部分を清掃筒体２の周面に一回りさせ装着する。そして、その状態で清掃を行った後、該清掃布の引き出された部分を反対の方向に一回りさせて再度装着して再び清掃を行う。このようにして、清掃布の引き出された部分の両面を使用した後、該汚れた部分を切断して除去すると共に、清掃布を上記引き出し用スリットから引き出して同様に清掃筒体の周面に装着する。そして、更に清掃作業を続行することができる。
【００４２】
従って、本実施形態の清掃具によると、清掃布が清掃筒体内に大量に保持されているので清掃布の交換作業から解放され、作業時に清掃布が汚れで飽和した場合であっても清掃布を引き出すことにより対処が可能であり、清掃作業を中断されずに効率的な清掃を行うことができる。尚、本実施形態の清掃具における清掃布には、上記清掃筒体の周面一回り分の長さ毎にミシン目を入れておくのが良い。これにより、上記汚れた部分の切断が容易となり、より作業性に優れたものとなる。
その他、清掃筒体の周面を３つのラウンド状の曲面で構成したり、清掃筒体の軸心に平行な軸を回転軸とする等、本発明の要旨を逸脱しない範囲において更に他の様々な変更が可能である。
【００４３】
【発明の効果】
本発明によれば、適正な荷重により汚れを軽く効率的に拭き取ることができる清掃具を提供することができる。また、本発明によれば、清掃布全体を効率的に使用でき、広い面積の汚れを容易に拭き取ることのできる清掃具を提供することができる。また、本発明によれば、高所やサッシの枠際等の狭い部分の清掃を容易に行うことができる清掃具を提供することができる。
【図面の簡単な説明】
【図１】図１は、本発明の清掃具の一実施形態を示す斜視図である。
【図２】図２は、図１に示す清掃具の清掃具本体を示す斜視図である。
【図３】図３は、図２に示す清掃具本体における清掃筒体の側面図である。
【図４】図４は、図２に示す清掃具本体の平面図である。
【図５】図５は、図２に示す清掃具本体への清掃布の装着を示す斜視図である。
【図６】図６は、図１に示す清掃具の使用状態を示す図である。
【図７】図７は、図１に示す清掃具の使用状態を示す図である。
【図８】図８は、本発明の清掃具の他の実施形態を示す（ａ）平面図及び（ｂ）側面図である。
【図９】図９は、本発明の清掃具の更に他の実施形態を示す（ａ）平面図及び（ｂ）側面図である。
【図１０】図１０は、図８又は図９に示す清掃具における清掃布の装着を示す説明図である。
【図１１】図１１は、本発明の清掃具の更に他の実施形態を示す斜視図である。
【符号の説明】
１    清掃具
２    清掃筒体
３    柄
３０  把持部
３１  軸部
３２  Ｌ字形接続部
４    清掃具本体
５    清掃布
６    ラウンド状の曲面
７    尖端部
８    装着用スリット
９    装着固定部材
【図１】
0003801288.tif 000002
【図２】
0003801288.tif 000003
【図３】
0003801288.tif 000004
【図４】
0003801288.tif 000005
【図５】
0003801288.tif 000006
【図６】
0003801288.tif 000007
【図７】
0003801288.tif 000008
【図８】
0003801288.tif 000009
【図９】
0003801288.tif 000010
【図１０】
0003801288.tif 000011
【図１１】
0003801288.tif 000012